(57)【要約】      （修正有）【課題】閉動作が容易かつ確実にできて、部品をなくすおそれがなく、容易に内容物の取り出しができる、包装容器を提供する。【解決手段】キャップ１１０と容器本体１２０とを備える包装容器１００であって、キャップは、インナーリング１１１を含む天板１１２と円筒状の外筒部１１３とを含み、外筒部は、第１の穴１１４と、内周面を一周する第１の凸条１１５とを有する。容器本体は、底部１２１と円筒状の内筒部１２２とを含み、内筒部は、第２の穴１２３と、外周面を一周する凹溝１２６とを有する。キャップが容器本体に被せられ、インナーリングが内筒部の内周面に嵌入して接触し、第１の凸条が内筒部の凹溝に係合し、外筒部および内筒部の中心軸が一致する。キャップが、容器本体に対して回転可能であり、第１の穴と第２の穴とが、回転により重なった状態が開状態となり、重ならない状態が閉状態となる。【選択図】図３
2018020830.tif 000002
【特許請求の範囲】
【請求項１】
キャップと容器本体とを備える包装容器であって、
前記キャップは、インナーリングを含む天板と円筒状の外筒部とを含み、
前記外筒部は、第１の穴と、内周面を一周する第１の凸条とを有し、
前記容器本体は、底部と円筒状の内筒部とを含み、
前記内筒部は、第２の穴と、外周面を一周する凹溝とを有し、
前記キャップが前記容器本体に被せられ、前記インナーリングが前記内筒部の内周面に嵌入して接触し、前記第１の凸条が前記内筒部の前記凹溝に係合し、前記外筒部および前記内筒部の中心軸が一致し、前記キャップが、前記容器本体に対して回転可能であり、
前記第１の穴と前記第２の穴とが、回転により重なった状態が開状態となり、重ならない状態が閉状態となる、包装容器。
【請求項２】
前記内筒部は、外周面に形成され前記第２の穴の全周を取り囲む第２の凸条をさらに有し、前記閉状態において、前記第２の凸条が全周にわたって前記外筒部の内周面に接触する、請求項１に記載の包装容器。
【請求項３】
前記凹溝および前記第１の凸条の一方が凸部を有し、他方が凹部を有し、前記開状態において、前記凸部が前記凹部に係合する、請求項１または２に記載の包装容器。
【発明の詳細な説明】
【技術分野】
【０００１】
本発明は、包装容器に関する。
【背景技術】
【０００２】
血液等の分析に用いるテストピース（検出センサチップ）を収容する包装容器が提案されている。図９に従来の一例に係る包装容器９００の断面図を示す。包装容器９００は、筒状の容器本体９１０と蓋９２０とを含む。閉蓋時には、蓋９２０のインナーリング９２９が容器本体９１０の側壁に挿入されて側壁内周に接触して、容器本体９１０を密封する。開蓋時には、蓋９２０は、容器本体９１０から取り外される。また、蓋９２０の内部または容器本体９１０の底部に、包装容器９００内を乾燥させるための乾燥剤（不図示）が配置される。
【先行技術文献】
【特許文献】
【０００３】
【特許文献１】特開２００２−２７４５７６号公報
【発明の概要】
【発明が解決しようとする課題】
【０００４】
従来の包装容器では、開蓋時に蓋が完全に分離するため、内容物の取り出しの際、分離した蓋を置く手間がかかった。また、分離した蓋をなくしてしまうおそれがあった。さらに、容器本体を傾けると内容物が意図せずに全部出てしまうおそれがあった。
【０００５】
本発明は、閉動作が容易かつ確実にできて、部品をなくすおそれがなく、容易に内容物の取り出しができる、包装容器を提供することを目的とする。
【課題を解決するための手段】
【０００６】
本発明は、キャップと容器本体とを備える包装容器である。キャップは、インナーリングを含む天板と円筒状の外筒部とを含む。外筒部は、第１の穴と、内周面を一周する第１の凸条とを有する。容器本体は、底部と円筒状の内筒部とを含む。内筒部は、第２の穴と、外周面を一周する凹溝とを有する。キャップが容器本体に被せられ、インナーリングが内筒部の内周面に嵌入して接触し、第１の凸条が内筒部の凹溝に係合し、外筒部および内筒部の中心軸が一致し、キャップが、容器本体に対して回転可能である。第１の穴と第２の穴とが、回転により重なった状態が開状態となり、重ならない状態が閉状態となる。
【発明の効果】
【０００７】
本発明によれば、閉動作が容易かつ確実にできて、部品をなくすおそれがなく、容易に内容物の取り出しができる、包装容器を提供することができる。
【図面の簡単な説明】
【０００８】
【図１】本発明の一実施形態に係る包装容器の上面図および側面図
【図２】本発明の一実施形態に係る包装容器の分解図
【図３】本発明の一実施形態に係る包装容器の断面図
【図４】本発明の一実施形態に係る包装容器の断面図
【図５】本発明の一実施形態に係る包装容器の拡大部分断面図
【図６】本発明の一変形例に係る包装容器の拡大部分断面図
【図７】従来の包装容器の断面図
【発明を実施するための形態】
【０００９】
（実施形態）
図１は、本発明の一実施形態に係る、包装容器１００の側面図および上面図である。図２は、包装容器１００の分解図である。図３は、閉状態における包装容器１００の断面図およびその要部の拡大図である。図４は、開状態における包装容器１００の断面および内容物５００の収納の様子を示す図である。
【００１０】
包装容器１００は、容器本体１２０とキャップ１１０とを備える。包装容器１００の材質として、例えば、ポリプロピレン樹脂やポリエチレン樹脂等のオレフィン系樹脂を用いることができる。キャップ１１０は、インナーリング１１１を含む天板１１２と円筒状の外筒部１１３とを含む。外筒部１１３は、側面に第１の穴１１４を有する。また、外筒部１１３は、内周面を一周する第１の凸条１１５を有する。
【００１１】
容器本体１２０は、底部１２１と円筒状の内筒部１２２とを含む。内筒部１２２は、側面に第２の穴１２３を有する。また、内筒部１２２の外周面には、第２の穴１２３の全周を取り囲む第２の凸条１２４が形成されており、内筒部１２２の中心軸に関して第２の凸条１２４の反対側にも環状の第３の凸条１２５が形成されている。また、内筒部１２２には、外周面を一周する凹溝１２６が形成されている。
【００１２】
キャップ１１０は、容器本体１２０に被せられ、インナーリング１１１が内筒部１２２の内周面に嵌入している。また、第１の凸条１１５が凹溝１２６に係合し、キャップ１１０は、容器本体１２０から外れにくくなっている。外筒部１１３の中心軸と内筒部１２２の中心軸とは一致しており、キャップ１１０は、容器本体１２０に対して回転可能となっている。
【００１３】
容器本体１２０の内側には、乾燥剤ケース１５０が嵌め込まれている。乾燥剤ケース１５０には、乾燥剤（不図示）が入っており、透湿性、防塵性を有するシートで開口がおおわれている。シートは、例えば、ポリエチレン、ポリプロピレン等の樹脂からなる不織布、微多孔性フィルム、及び微多孔性シートを用いることができる。乾燥剤ケース１５０はシート側が容器本体１２０の底部１２１側となるように取り付けられる。乾燥剤ケース１５０は溝が形成されて内筒部１２２の内周面との間に部分的に隙間が設けられており、包装容器１００の内部空間と乾燥剤とが通気するようになっている。乾燥剤は、特に制限されないが、例えば、酸化カルシウム、塩化カルシウム、酸化アルミニウム、鉄粉等の化学系乾燥剤や、酸化アルミニウム、ゼオライト、モレキュラーシーブ、シリカゲル等の物理系乾燥剤を用いることができる。乾燥剤ケース１５０は容器本体１２０に取り付けられる代わりにキャップ１１０のインナーリング１１１の内側の天板１１２側に取り付けられてもよい。
【００１４】
図３に示すように、第１の穴１１４と第２の穴１２３とが重なっていない状態では、包装容器１００は閉状態となっている。図３の拡大図に示すように、第２の凸条１２４が外筒部１１３の内周面に密接しており、第２の穴１２３を通じた内筒部１２２内部と外部との通気を防止する。また、第３の凸条１２５が、外筒部１１３の内周面の第１の穴１１４の全周を取り囲む位置に密接しており、第１の穴１１４を通じた外筒部１１３内部と外部との通気を防止する。このような第２の凸条１２４および第３の凸条１２５と、上述のインナーリング１１１とを備えることによって、包装容器１００は密閉状態が保たれる。第２の凸条１２４、第３の凸条１２５は、要求される密閉性の程度によっては、設けなくてもよく、一方のみ設けてもよい。また、内筒部１２２に設けるのではなく、外筒部１１３の内周面に設けてもよい。
【００１５】
図４に示すように、第１の穴１１４と第２の穴１２３とが重なっている状態では、包装容器１００は開状態となっており、重なった第１の穴１１４と第２の穴１２３とが内容物の取り出し口となる。
【００１６】
開状態と閉状態との切り替えは、キャップ１１０を回転させることにより行う。キャップ１１０の天板１１２側面と容器本体１２０の底部１２１側面とは、面取りやローレット等によって滑りにくくなっていることが好ましい。この部分をつまんで回すことで、キャップ１１０を回転させることが容易になる。
【００１７】
図５は、図４のＡ−Ａ’線に沿った包装容器１００の断面の部分拡大図である。すなわち、開状態における、外筒部１１３の第１の凸条１１５、および、内筒部１２２の凹溝１２６の一部分である。内筒部１２２は近接する２つの凸部１２７を有し、その間が凹部１２８となっている。外筒部１１３は凸部１１６を有する。凸部１１６が、包装容器１００の開状態において、凹部１２８に係合するようになっている。これにより、キャップ１１０を回転させた際に、係合の感触によって、開状態となったことがユーザーに判る。
【００１８】
このような係合機構は、図５に示す態様に限られず、他の態様を採用してもよい。図６は、係合機構の他の例を示す図である。この例では、内筒部１２２に設けられた凸部１２９が、外筒部１１３に設けられた凹部１１７に係合するようになっている。
【００１９】
包装容器１００においては、開動作によっても分離する部品が存在しないため、内容物の取り出しの際、分離した部品を置く手間がかからない。また、分離した部品をなくしてしまうことがない。また、第１の穴１１４および第２の穴１２３によって取り出し口の大きさが制限されるため、内容物が多く出すぎることを防ぎ、必要な量だけ取り出しやすくすることができる。また、キャップ１１０をどの方向に回転させても、開閉操作を行うことができ、操作がしやすい。
【００２０】
内容物５００は、一例として、図４に示すような細長いスティック状の、血糖値センサ等を有する、複数の血液検査チップである。内容物の長辺の長さをＢとすると、開状態における取り出し口は、例えば、直径ＤがＢ／２以下の円形状とすることが好ましい。取り出し口の直径Ｄの大きさを制限し、取り出し口を設ける位置を、例えば天板１１２側寄りにすることにより、内容物５００を取り出す際、取り出し口から先に出てくる端部を、天板１１２側寄りの端部に限定することができる。これにより、例えば、内容物５００の指で触れることが好ましくないセンサを有する側の端部を底部１２１側にそろえて収容しておけば、取り出す際には、センサのない側の端部が、先に出て指でつままれ、センサが触れられないようにすることができる。
【産業上の利用可能性】
【００２１】
本発明は、包装容器、とくにスティック形状の内容物を収容する防湿容器等に有用である。
【符号の説明】
【００２２】
１００    包装容器
１１０    キャップ
１１１    インナーリング
１１２    天板
１１３    外筒部
１１４    第１の穴
１１５    第１の凸条
１１６    凸部
１１７    凹部
１２０    容器本体
１２１    底部
１２２    内筒部
１２３    第２の穴
１２４    第２の凸条
１２５    第３の凸条
１２６    凹溝
１２７、１２９    凸部
１２８    凹部
１５０    乾燥剤ケース
５００    内容物
９００    包装容器
９１０    容器本体
９２０    蓋
９２９    インナーリング
【図１】
2018020830.tif 000003
【図２】
2018020830.tif 000004
【図３】
2018020830.tif 000005
【図４】
2018020830.tif 000006
【図５】
2018020830.tif 000007
【図６】
2018020830.tif 000008
【図７】
2018020830.tif 000009